(57)【要約】【課題】人が衣服を実際に着用しているかのようなボリューム感をもたせて衣服をディスプレイすることができる、衣服用の形状保持具を提供する。【解決手段】人体の所定部位の形状を模した形状を有する気密性の中空本体を備え、衣服の開口部から衣服の内部に挿入されて衣服の形状を保持することを特徴とする、衣服用の形状保持具。【選択図】図１
2009133020.tif 000002
【特許請求の範囲】
【請求項１】
衣服用の形状保持具において、
人体の所定部位の形状を模した形状を有する気密性の中空本体を備え、
衣服の開口部から衣服の内部に挿入されて衣服の形状を保持することを特徴とする、形状保持具。
【請求項２】
前記中空本体が、人体の脚部の形状を模した形状を有し、衣服の脚部開口部から衣服の脚部の内部に挿入される、請求項１に記載の形状保持具。
【請求項３】
前記中空本体が略楕円形の横断面を有する有底筒状であり、且つ、前記形状保持具が前記中空本体の末端側に接続された縮径部と前記縮径部に接続された足部とを更に備える、請求項２に記載の形状保持具。
【請求項４】
前記足部が変形防止用部材により補強されている、請求項３に記載の形状保持具。
【請求項５】
気体を入れる際に気体の逆流を防止するための逆止弁を有する気体入れ口を備え、前記気体入れ口を介して前記形状保持具への気体の封入及び前記形状保持具からの気体の排出を自在に行うことができる、請求項１乃至４の何れか１項に記載の形状保持具。
【請求項６】
前記中空本体が人体の膝関節に対応する箇所において所定角度屈曲している、請求項２乃至５の何れか１項に記載の形状保持具。
【請求項７】
可撓性材料から成る、請求項１乃至６の何れか１項に記載の形状保持具。
【請求項８】
前記中空本体が、人体の腕部の形状を模した形状を有し、衣服の腕部開口部から衣服の腕部の内部に挿入される、請求項１に記載の形状保持具。
【請求項９】
前記中空本体が、人体の胴部の形状を模した形状を有し、衣服の胴部開口部から衣服の胴部の内部に挿入される、請求項１に記載の形状保持具。
【発明の詳細な説明】
【技術分野】
【０００１】
本願発明は、衣服用の形状保持具に関し、より詳細には、人体の所定部位の形状を模した形状を有する気密性の中空本体を備える衣服用の形状保持具に関する。
【背景技術】
【０００２】
人が衣服を実際に着用しているかのようなボリューム感をもたせて衣服をディスプレイする手法としては、マネキンの使用が一般的である。
マネキンを使用せずに衣服をディスプレイする手法として、丸めたクラフト紙等をスラックスの脚部開口部等に挿入する手法がある。
【発明の開示】
【発明が解決しようとする課題】
【０００３】
しかしながら、丸めたクラフト紙等を使用して所望のボリューム感を衣服にもたせることは困難である。また、丸めたクラフト紙等を長時間使用するとその形状が崩れるため、ボリューム感は更に損なわれる。更に、丸めたクラフト紙等は保管場所をとる。丸めたクラフト紙等の再利用は困難である。
【０００４】
［課題を解決するための手段及び発明の効果］
上述した課題を解決するための本願発明の一の実施例に係る衣服用の形状保持具は、人体の所定部位の形状を模した形状を有する気密性の中空本体を備え、衣服の開口部から衣服の内部に挿入されて衣服の形状を保持することを特徴とする。上記形状保持具は、人が衣服を実際に着用しているかのようなボリューム感をもたせて衣服をディスプレイすることができる利点がある。また、衣服のディスプレイを容易に行うことができる利点がある。更に、長時間使用しても上記形状保持具の形状が崩れないため、上記ボリューム感が損なわれない利点がある。
【０００５】
好ましくは、前記中空本体が、人体の脚部の形状を模した形状を有し、衣服の脚部開口部から衣服の脚部の内部に挿入される。
また好ましくは、前記中空本体が略楕円形の横断面を有する有底筒状であり、且つ、前記形状保持具が前記中空本体の末端側に接続された縮径部と前記縮径部に接続された足部とを更に備える。これによって、スラックス等の脚部が長くすっきりと見え、スラックス等をきれいにディスプレイできる利点がある。
また好ましくは、前記足部が変形防止用部材により補強されている。これによって、前記足部を介して靴をスラックス等の脚部に対して容易に連結できる利点がある。
また好ましくは、前記形状保持具は、気体を入れる際に気体の逆流を防止するための逆止弁を有する気体入れ口を備え、前記気体入れ口を介して前記形状保持具への気体の封入及び前記形状保持具からの気体の排出を自在に行うことができる。気体を前記形状保持具へ封入するだけで所望の保持形状を形成することができるため、ディスプレイ作成時間を短縮できる利点がある。また、可撓性材料から成る形状保持具を使用しないとき、前記形状保持具から気体を排出した後、前記形状保持具を折り畳んで収納することができるため、収納場所をとらない利点がある。
また好ましくは、前記中空本体が人体の膝関節に対応する箇所において所定角度屈曲している。
【０００６】
本願発明の他の実施例に係る衣服用の形状保持具は、人体の腕部の形状を模した形状を有し、衣服の腕部開口部から衣服の腕部の内部に挿入される中空本体を備える。この実施例の利点は上記と大略同様である。
本願発明の他の実施例に係る衣服用の形状保持具は、人体の胴部の形状を模した形状を有し、衣服の胴部開口部から衣服の胴部の内部に挿入される中空本体を備える。この実施例の利点は上記と大略同様である。
【実施例】
【０００７】
［基本構成］
図１中、衣服用の形状保持具１は、人体の脚部の形状を模した形状を有する気密性の中空本体２と、中空本体２の末端側に接続された縮径部３と、縮径部３に接続された足部４とを備える。形状保持具１は、不使用時に折り畳むことができるように、塩化ビニル等の可撓性材料から形成されてもよい。形状保持具１を形成する材料は、（有色又は無色）透明でもよいし、不透明でもよい。
中空本体２は、側面２ａ、基端側底部２ｂ、及び末端側底部２ｃを備え、同図中Ａ−Ａ線に沿う横断面が略楕円形の有底筒状である。勿論、中空本体２の上記横断面は、楕円以外の円形等のその他の形状でもよい。また、中空本体２は、末端側の横断面の径が漸次小さくなるようにテーパー状に形成されてもよい。
図２中、縮径部３は人体の足首部に対応し、その横断面の径は中空本体２の横断面の径より小さい。足部４は人体の足部の形状を模した形状を有する。足部４の長手方向は、中空本体２の上記略楕円形横断面の長軸方向に沿って延びていることが好ましい。足部４を補強するために、板紙、人体の足部を象った部材等からなる変形防止用部材５が足部４内に挿入されてもよい。
【０００８】
本実施例において、中空本体２、縮径部３、及び足部４は、互いに気体連通する室として形成されている。中空本体２の側面２ａの末端近傍に、気体を入れる際に気体の逆流を防止するための逆止弁（図示せず）を有する公知の気体入れ口２ｄが設けられる。勿論、気体入れ口２は、中空本体２のその他の箇所、縮径部３、或いは足部４に設けられてもよい。気体入れ口２ｄを介して形状保持具１への気体の封入及び形状保持具１からの気体の排出を自在に行うことができる。したがって、可撓性材料から成る形状保持具１を使用しないとき、気体入れ口２ｄを介して形状保持具１から気体を排出した後、形状保持具１を折り畳んで収納することができる。なお、中空本体２、縮径部３、及び足部４は、互いに気体連通しないように形成されてもよい。この場合、中空本体２のみが気密性を有し、縮径部３及び足部４が気密性を有さなくてもよい。また、形状保持具１は、気体入れ口２ｄを備えなくてもよい。
なお、形状保持具１は縮径部３及び足部４を備えなくともよい。
【０００９】
［使用方法］
図３中、形状保持具１は、衣服がディスプレイ等される際に、スラックス６（その他、パンツ等）の脚部６ａの開口部６ｂから脚部６ａの内部に挿入されてスラックス６の形状を保持する。
より詳細には、中空本体２が開口部６ｂから脚部６ａの内部に挿入されて脚部６ａの形状を保持する。足部４は、靴７内に挿入されて、靴７をスラックス６に対して連結する。靴７は縦方向に深さを有するから足部４を靴７の中底上に配置するためには、形状保持具１は、縮径部３が開口部６ｂの開口端６ｃから所定長さ延出するよう、スラックス６に対して位置決めされることが好ましい。また、縮径部３が靴７の開口に対応する位置に配置されていると、靴７のスラックス６に対する向きを多少変更できる利点がある。
【００１０】
［変更実施例］
様々なディスプレイ方法に対応すべく、形状保持具１は中空本体２の人体の膝関節に対応する箇所において所定角度屈曲するよう形成されてもよい。また、足部４の縮径部３に対する角度を所望角度に適宜設定して、形状保持具１を形成することもできる。
形状保持具１は、人体の左右両脚に使用できるよう左右対称（人体の矢状面に沿う縦方向中心面に関して対称）の形状に形成されてもよい。これによって、形状保持具１の使用時に左右いずれの脚に使用するのかを確認する必要がない利点がある。勿論、左脚専用の形状保持具１及び右脚専用の形状保持具１を夫々作成することもできる。この場合、足部４に対する縮径部３の取り付け位置を調節することができる。すなわち、右脚専用の形状保持具１の場合、図４に示すように、縮径部３を人体の内側方（同図中、矢印Ｍで示す。）へずらして足部４に対して取り付けることができる（人体の外側方に対応する足部４の側端部４ａから縮径部３の外周面３ａまでの距離Ｄ１＞人体の内側方に対応する足部４の側端部４ｂから縮径部３の外周面３ａまでの距離Ｄ２）。右脚専用の形状保持具１を一般的な右足用靴の形状に対応させるためである。
【００１１】
［その他の実施例］
本願発明に係る衣服用の形状保持具は、上述したスラックス等用の形状保持具に限定されるものではなく、その他の衣服用の形状保持具に適用することができる。
例えば、図３中、本願発明の他の実施例に係る形状保持具１０はジャケット等の上着用である。形状保持具１０は、人体の腕部の形状を模した形状を有する中空本体１２を備え、ジャケット等の上着８の腕部８ａの開口部８ｂから腕部８ａの内部に挿入されて、腕部８ａの形状を保持する。形状保持具１０は、中空本体１２の末端側に接続された人体の手首部に対応する縮径部１３と、縮径部１３に接続された人体の手部に対応する手部１４と、上記気体入れ口２ｄに対応する構成とを更に備えてもよい。形状保持具１０は可撓性材料から成ってもよい。
また、本願発明に係る形状保持具のその他の実施例として、人体の胴部の形状を模した形状を有する中空本体を備え、衣服の胴部開口部から胴部の内部に挿入される形状保持具（図示せず）を採用することができる。
【図面の簡単な説明】
【００１２】
【図１】本願発明の一の実施例に係る衣服用の形状保持具の斜視図である。
【図２】図１の実施例の部分斜視図である。
【図３】図１の実施例、及び本願発明の他の実施例に係る衣服用の形状保持具を衣服に装着した状態を示すための図である。
【図４】図１中Ｂ−Ｂ線に沿う衣服用の形状保持具の横断矢視図である。
【符号の説明】
【００１３】
１    衣服用の形状保持具
２    中空本体
３    縮径部
４    足部
６    スラックス
【図１】
2009133020.tif 000003
【図２】
2009133020.tif 000004
【図３】
2009133020.tif 000005
【図４】
2009133020.tif 000006